(57)【特許請求の範囲】
【請求項１】
弱視鏡や拡大鏡、望遠鏡などの視力補強アタッチメントＡが眼鏡のフロント部分に取付可能であって、
当該眼鏡の少なくともフロント枠１１が磁性体で形成されたフレーム本体１と；このフレーム本体１の前面に配設され、前記視力補強アタッチメントＡを固定する取付アダプタ２とから構成され、
当該取付アダプタ２は、前方に視力補強アタッチメントＡを固定する一方、前記フロント枠１１との対向面に配設されたマグネット２１によってフレーム本体１のフロント枠１１にスライド自在に磁着されており、
取付アダプタ２の磁着位置をスライド調節することによって着用者の視線方向と視力補強アタッチメントＡのファインダーｆ位置とを合致させて対象実景を視認できるように構成したことを特徴とする眼鏡フレームにおける視力補強アタッチメント取付機構。
【請求項２】
取付アダプタ２の接眼側にフレーム本体１のフロント枠１１に掛合してスライド可能な掛合ガイド片２２が突設されていることを特徴とする請求項１記載の眼鏡フレームにおける視力補強アタッチメント取付機構。
【請求項３】
取付アダプタ２の掛合ガイド片２２に取付位置を固定する止着ネジ２２ａを設けることを特徴とする請求項１または２記載の眼鏡フレームにおける視力補強アタッチメント取付機構。
【請求項４】
取付アダプタ２の開口部２３に視力補強アタッチメントＡの少なくとも一部が嵌着可能に形成されていることを特徴とする請求項１〜３の何れか一つに記載の眼鏡フレームにおける視力補強アタッチメント取付機構。
【請求項５】
フレーム本体１のフロント枠１１に取付アダプタ２の取付位置合わせの目盛り１１ａを表示することを特徴とする請求項１〜４の何れか一つに記載の眼鏡フレームにおける視力補強アタッチメント取付機構。
【請求項６】
フレーム本体１に視力補強アタッチメントＡの配線コードＣの止着具１２を配設することを特徴とする請求項１〜５の何れか一つに記載の眼鏡フレームにおける視力補強アタッチメント取付機構。
【発明の詳細な説明】
【０００１】
【発明の属する技術分野】
本発明は、弱視鏡や拡大鏡、望遠鏡などの視力補強アタッチメントを眼鏡フレームに安定的に取り付けるものであって、更に詳しくは、磁着スライドにより取付位置を微調整することによって視力補強アタッチメントのファインダーと着用者の視線位置とを簡単かつ確実に合致させて対象実景を視認できる眼鏡フレームにおける視力補強アタッチメント取付機構に関するものである。
【０００２】
【従来の技術】
周知のとおり、近視や乱視、老視などの視力障害が生じた場合、通常の視力矯正用の眼鏡レンズによってその視覚障害を矯正して正常な視認を行えるようにしている。
【０００３】
ところで、このような視力矯正とは異なり、我々の有する視認能力以上のものを得るために、例えば、レンズによる視力矯正範囲を越える視力障害の場合に用いる弱視鏡、ルーペなどの拡大鏡、あるいは遠方対象物を見る場合に用いる望遠鏡といった視力補強アタッチメントなるものがあり、このような視力補強アタッチメントは手に保持して使用することが多かった。
【０００４】
前述の弱視鏡は近年の技術的進歩に応じて小型化が進んできており、支持具を使用して頭部に着用することができるようになった（例えば、特開平９−１９２１６４号公報参照）。しかし、このような支持具によって取付位置を定める場合、着用者の瞳孔間距離や視線方向は個人差によって様々であるので、その都度、微調整が必要であって非常に面倒であった。そして、視力補強アタッチメントのファインダーと着用者の視線方向とを正確に合致されないとピントが合わずに全く何も見えなかったりして良好な視認が得られなかった。
【０００５】
【発明が解決しようとする課題】
本発明は、従来の視力補強アタッチメントの取り付けの際に上記のような欠点があったことに鑑みて為されたものであり、磁着スライドにより取付位置を微調整することによって視力補強アタッチメントのファインダーと着用者の視線位置とを簡単かつ確実に合致させて対象実景を視認できる眼鏡フレームにおける視力補強アタッチメント取付機構を提供することを技術的課題とする。
【０００６】
【課題を解決するための手段】
本発明者が上記課題を解決するために採用した手段を添付図面を参照して説明すれば次のとおりである。
【０００７】
即ち、本発明は、弱視鏡や拡大鏡、望遠鏡などの視力補強アタッチメントＡが眼鏡のフロント部分に取付可能であって、
当該眼鏡の少なくともフロント枠１１が磁性体で形成されたフレーム本体１と；このフレーム本体１の前面に配設され、前記視力補強アタッチメントＡを固定する取付アダプタ２とから構成され、
当該取付アダプタ２は、前方に視力補強アタッチメントＡを固定する一方、前記フロント枠１１との対向面に配設されたマグネット２１によってフレーム本体１のフロント枠１１にスライド自在に磁着されており、
取付アダプタ２の磁着位置をスライド調節することによって着用者の視線方向と視力補強アタッチメントＡのファインダーｆ位置とを合致させて対象実景を視認できるように構成するという技術的手段を採用した。
【０００８】
また、本発明は、上記課題を解決するために、必要に応じて上記手段に加え、取付アダプタ２の接眼側にフレーム本体１のフロント枠１１に掛合してスライド可能な掛合ガイド片２２を突設するという技術的手段を採用した。
【０００９】
更にまた、本発明は、上記課題を解決するために、必要に応じて上記手段に加え、取付アダプタ２の掛合ガイド片２２に取付位置を固定する止着ネジ２２ａを設けるという技術的手段を採用した。
【００１０】
更にまた、本発明は、上記課題を解決するために、必要に応じて上記手段に加え、取付アダプタ２の開口部２３に視力補強アタッチメントＡの少なくとも一部を嵌着可能に形成するという技術的手段を採用した。
【００１１】
更にまた、本発明は、上記課題を解決するために、必要に応じて上記手段に加え、フレーム本体１のフロント枠１１に取付アダプタ２の取付位置合わせの目盛り１１ａを表示するという技術的手段を採用した。
【００１２】
更にまた、本発明は、上記課題を解決するために、必要に応じて上記手段に加え、フレーム本体１に視力補強アタッチメントＡの配線コードＣの止着具１２を配設するという技術的手段を採用した。
【００１３】
【発明の実施の形態】
本発明の実施形態を具体的に図示した図面に基いて更に詳細に説明すると次のとおりである。
【００１４】
本発明の実施形態を図１から図３に基いて説明する。図中、符号１で指示するものはフレーム本体であり、このフレーム本体１は磁性体によって形成されたフロント枠１１を備え、その側方にはテンプルＴが配設されている。
【００１５】
また、符号２で指示するものは取付アダプタであり、この取付アダプタ２は弱視鏡や拡大鏡、望遠鏡などの視力補強アタッチメントＡを前記フレーム本体１のフロント部分に固定するものであり、接眼側にはフレーム本体１のフロント枠１１に掛合してスライド可能な掛合ガイド片２２を突設する。本実施形態では、この掛合ガイド片２２・２２を上下一対に対向配置する。
【００１６】
しかして、本実施形態の眼鏡フレームを使用するにあっては、まず、取付アダプタ２の前方に視力補強アタッチメントＡを固定する。この際、取付アダプタ２には開口部２３が形成され、視力補強アタッチメントＡの少なくとも一部が嵌着可能であって、本実施形態では、略中央に開口部２３が形成されており、この開口部２３に視力補強アタッチメントＡのファインダーｆの筒部が嵌入されている。
【００１７】
次に、前記掛合ガイド片２２の先端部分は屈曲かぎ形に成形されており、取付アダプタ２をフロント枠１１の側方から差し入れて、前記フロント枠１１と対向する面に配設されたマグネット２１（本実施形態では２箇所）によってフレーム本体１のフロント枠１１に磁着せしめる。
【００１８】
そして、マグネット２１の磁着位置は自在にスライド調節できるので、着用者の視線方向と視力補強アタッチメントＡのファインダーｆ位置とを合致させて対象実景を視認することができる。
【００１９】
更に、本実施形態では、取付アダプタ２の掛合ガイド片２２に取付位置を固定するための止着ネジ２２ａを設けることができ、この止着ネジ２２ａを接眼側から螺入することによって、その位置においてフロント枠１１に確実に固定することができる。
【００２０】
更にまた、フレーム本体１のフロント枠１１に取付アダプタ２の取付位置合わせの目盛り１１ａを表示することによって、この目盛り１１ａを目安として左右の瞳孔間距離を測定する際に便利である。
【００２１】
また、図３に示すように、フレーム本体１に視力補強アタッチメントＡの配線コードＣを止着するための止着具１２を配設することもでき、この止着具１２はクリップ形状を呈しており側方のテンプルＴに配置し、当該配線コードＣを挟持することにより前方に垂れ下がったりしてジャマにならずに、後方に向けてスッキリとまとめることができる。
【００２２】
本発明は概ね上記のように構成されるが、本発明は図示の実施形態に限定されるものでは決してなく、「特許請求の範囲」の記載内において種々の変更が可能であって、例えば、フレーム本体１のフロント枠１１に対応する位置であれば取付アダプタ２のマグネット２１の位置の変更が可能であるし、また、掛合ガイド片２２は２箇所に限るものではない。
【００２３】
更にまた、取付アダプタ２と視力補強アタッチメントＡとの固定手段も嵌着式に限らず、ネジ止め式でも良い。更にまた、取付アダプタ２の開口部は略中央部でなく、別位置に開設されていても良いし、視力補強アタッチメントＡを固定できれば特に開設されていなくても良く、何れのものも本発明の技術的範囲に属する。
【００２４】
【発明の効果】
以上、実施形態をもって説明したとおり、本発明にあっては、手で支持することが多かった視力補強アタッチメントを眼鏡フレームに確実に固定するできるように構成することにより、頭部に固定させて安定的であり、両手を用いた手作業もし易くなる。
【００２５】
また、磁着によって簡単に取付位置の調節して着用者の視線方向と視力補強アタッチメントのファインダー位置を合致させることによって、着用者は対象実景を良好に視認することができることから、実用的価値は頗る高いものがある。
【図面の簡単な説明】
【図１】本発明の実施形態の取付機構を表わす説明斜視図である。
【図２】本発明の実施形態の取付機構を表わす説明側面図である。
【図３】本発明の実施形態の取付機構を表わす説明上面図である。
【符号の説明】
１    フレーム本体
１１  フロント枠
１１ａ  目盛り
１２  止着具
Ｔ  テンプル
２    取付アダプタ
２１  マグネット
２２  掛合ガイド片
２２ａ  止着ネジ
２３  開口部
Ａ    視力補強アタッチメント
ｆ  ファインダー
Ｃ  配線コード
【図１】
0003558611.tif 000002
【図２】
0003558611.tif 000003
【図３】
0003558611.tif 000004